(57)【要約】【課題】キャビネットの扉の開閉に伴う炎の立ち消えを防止し、使い勝手を維持する。【解決手段】トッププレート４における操作ツマミ７，７の左右外側には、トッププレート４に設けた前後方向の切り込みの一側方を絞り加工して凹部１５を形成することにより、凹部１５内の側方で縦向きに開口する逃がし部１４，１４が形成されている。よって、キャビネットを開閉する際、器具本体２内の空気が圧迫されても、逃がし口１４，１４を通ってトッププレート４の上方外部に排出されることになり、炎が立ち消えを起こすおそれがなくなる。【選択図】図１
2008014582.tif 000002
【特許請求の範囲】
【請求項１】
コンロ部を有し、キッチンユニットのカウンターに設けた開口から前記カウンター内に収容される器具本体と、その器具本体の上端にあって前記コンロ部のバーナヘッドを露出させ、前記開口の周縁に係止して前記開口を閉塞するトッププレートと、を備えてなるビルトインコンロであって、
前記トッププレートにおける前記バーナヘッドの露出部以外の位置に、前記器具本体内の空気の逃がし口を設けたことを特徴とするビルトインコンロ。
【請求項２】
逃がし口は、トッププレートの上面に形成した凹部内の側方に設けた請求項１に記載のビルトインコンロ。
【発明の詳細な説明】
【技術分野】
【０００１】
本発明は、キッチンユニットのカウンターに組み込まれるビルトインコンロに関する。
【背景技術】
【０００２】
ビルトインコンロは、キッチンユニットのカウンターに設けた矩形状の開口に、コンロ部を有する器具本体を落とし込むように収容し、器具本体の上端にあってコンロ部のバーナヘッドを露出させたトッププレートを開口の周縁に係止させることで、キッチンカウンター内に組み込まれる（例えば特許文献１参照）。この状態では、トッププレートがカウンタートップの上面に露出して開口を閉塞することになる。
【０００３】
【特許文献１】特開２００５−１１４２９３号公報
【発明の開示】
【発明が解決しようとする課題】
【０００４】
ところで、キッチンカウンター内でビルトインコンロの下方には、鍋等を収納するキャビネットが設けられる場合が多いが、コンロ部でのバーナの燃焼中にキャビネットの扉が開閉されると、扉を閉めた際の圧力がビルトインコンロの器具本体内にも加わる。トッププレートには、バーナヘッドを露出させる円形の透孔が形成されているため、器具本体内で圧迫された空気は透孔からバーナヘッドの周りを通って外部へ排出されることになる。よって、弱火での調理等の際にはこの突発的な空気の排出によって炎が立ち消えを起こして使い勝手を損なうおそれがあった。
【０００５】
そこで、本発明は、キャビネットの扉の開閉に伴う炎の立ち消えを防止でき、使い勝手を損なうことがないビルトインコンロを提供することを目的としたものである。
【課題を解決するための手段】
【０００６】
上記目的を達成するために、請求項１に記載の発明は、トッププレートにおけるバーナヘッドの露出部以外の位置に、器具本体内の空気の逃がし口を設けたことを特徴とするものである。
請求項２に記載の発明は、請求項１の目的に加えて、逃がし口を設けてもトッププレートのデザイン性を損なわないようにするために、逃がし口を、トッププレートの上面に形成した凹部内の側方に設けたものである。
【発明の効果】
【０００７】
請求項１に記載の発明によれば、トッププレートに空気の逃がし口を設けたことで、加熱調理中にキャビネットの扉を開閉してもバーナの炎が立ち消えするおそれがなく、使い勝手が損なわれない。
請求項２に記載の発明によれば、請求項１の効果に加えて、逃がし口を凹部内の側方に設けたことで、逃がし口を設けても器具本体内部を見えにくくすることができ、トッププレートのデザイン性を損なうことがない。
【発明を実施するための最良の形態】
【０００８】
以下、本発明の実施の形態を図面に基づいて説明する。
図１は、ビルトインコンロの一例を示す説明図で、左が平面、右が側面、下が正面を夫々示す。ビルトインコンロ１は、前後に２つのコンロ部３，３を備えた平面矩形状の器具本体２の上端に、器具本体２よりも一回り大きい平面矩形状のトッププレート４を備えてなり、キッチンカウンターのカウンタートップ５に設けられた矩形状の開口６に、器具本体２を上方から落とし込むように収容し、トッププレート４を開口６の周縁に係止させることで、キッチンカウンター内に組み込まれる。この状態で開口６はトッププレート４によって閉塞される。７，７は、トッププレート４の手前側で左右に設けられたコンロ部３の操作ツマミ、８は平面格子状に組まれた五徳フレームで、五徳フレーム８の手前側にはコンロ部３側よりも高い門型のガード部９が立設されている。
【０００９】
トッププレート４は、プレス成形した鋼板の表面にホーロー加工を施したもので、操作ツマミ７，７の後方には、五徳フレーム８の外形に合わせてやや低くなる凹面部１０が凹設され、五徳フレーム８の位置決めを図っている。凹面部１０の内側には、さらに低くなる汁受け部１１が凹設され、その汁受け部１１内に、各コンロ部３のバーナヘッド３ａの露出部となる開口１３を中央に穿設した円形突部１２が突設されている。
【００１０】
そして、トッププレート４における操作ツマミ７，７の左右外側には、一対の空気の逃がし口１４，１４が穿設されている。この逃がし口１４は、図２にも示すように、トッププレート４に設けた前後方向の切り込みの一側方を絞り加工して凹部１５を形成することにより、凹部１５内の側方で縦向きに開口させたもので、これにより、逃がし口１４の平面視での露出部分が小さくなって器具本体２の内部は見えにくくなっている。
【００１１】
以上の如く構成されたビルトインコンロ１においては、トッププレート４に設けた逃がし口１４，１４を介して器具本体２内が外部と連通するため、キッチンカウンターにおいてビルトインコンロ１の下側に設けられるキャビネットを開閉する際、器具本体２内の空気が圧迫されても、逃がし口１４，１４を通ってトッププレート４の上方外部に排出されることになり、円形突部１２の開口１３とバーナヘッド３ａとの間を通って排出される空気の量が減少する。よって、コンロ部３の燃焼の際にキャビネットの扉を開閉しても炎が立ち消えを起こすおそれがなくなる。
【００１２】
このように、上記形態のビルトインコンロ１によれば、トッププレート４における開口１３以外の位置に、器具本体２内の空気の逃がし口１４を設けたことで、加熱調理中にキャビネットの扉を開閉してもバーナの炎が立ち消えするおそれがなく、使い勝手が損なわれない。
特に、逃がし口１４を、トッププレート４の上面に形成した凹部１５内の側方に設けているので、逃がし口１４を設けても器具本体２内部を見えにくくすることができ、トッププレート４のデザイン性を損なうことがない。
【００１３】
なお、逃がし口は、トッププレートの手前側に限らず、側方や後方に配置してもよく、数も適宜増減可能である。
また、上記形態のようにトッププレートに凹部内の側方に形成するものに限らず、逆にトッププレートに設けた突部の上方や側方に形成してもよい。このようにトッププレートの上面よりも高い位置に設ければ、噴きこぼれ等の進入を防止できるメリットがある。勿論形状も長円以外に円形や四角形等を適宜採用して差し支えない。
さらに、上記形態では２口のコンロ部を設けたビルトインコンロに本発明を適用しているが、１口又は３口等のビルトインコンロであっても同様に適用可能である。
【図面の簡単な説明】
【００１４】
【図１】ビルトインコンロの説明図（左が平面、右が側面、下が正面を夫々示す）である。
【図２】逃がし口部分の拡大断面図である。
【符号の説明】
【００１５】
１・・ビルトインコンロ、２・・器具本体、３・・コンロ部、４・・トッププレート、５・・カウンタートップ、１３・・開口、１４・・逃がし口、１５・・凹部。
【図１】
2008014582.tif 000003
【図２】
2008014582.tif 000004